(57)【特許請求の範囲】
【請求項１】
前後各縦壁（２１，２２）間に空所（２５，２６）を設けたコンクリート成型品からなる複数個の分割躯体（２，２・・）を上下・左右に組付けて構築した擁壁（１）において、
前記擁壁（１）の内部空所（Ｓ）に、不透水性の袋（３１，３２）内に粉粒体を含む充填物（３３）を収容してなる袋入充填物（３，３Ａ）を充填するとともに、前記擁壁（１）の上面を不透水構造物（４）で被覆している、
ことを特徴とする擁壁構造。
【請求項２】
前後各縦壁（２１，２２）間に空所（２５，２６）を設けたコンクリート成型品からなる複数個の分割躯体（２，２・・）を上下・左右に組付けて構築した擁壁（１）において、
前記擁壁（１）の内部空所（Ｓ）に、不透水性の袋（３１，３２）内に粉粒体を含む充填物（３３）を収容してなる袋入充填物（３，３Ａ）を充填するとともに、前記袋（３１，３２）の上部開口を該袋内に水が浸入しないように閉塞している、
ことを特徴とする擁壁構造。
【発明の詳細な説明】
【０００１】
【発明の属する技術分野】
本願発明は、例えば道路側面や造成土地側面等に構築される擁壁構造に関し、さらに詳しくはコンクリート成型品からなる複数個の分割躯体を上下・左右に組付け、且つ内部空所に土砂等の粉粒体を含む充填物を充填して構築した重力式の擁壁構造に関するものである。
【０００２】
【従来の技術】
例えば山肌に道路を形成する際には、該山肌に擁壁を構築し、その擁壁の上面を道路幅の一部として利用する場合が多い。ところで、この種の擁壁をコンクリートで現場打ちする場合には、構築現場において型枠を組立てる必要があるので擁壁構築作業が繁雑となり、且つ工期が長くなるとともに、コンクリート量が多くなって、擁壁構築コストが高くつくという問題がある。
【０００３】
又、近年では、山肌に道路を形成する際の擁壁として、図１０に示すように上下に複数個に分割したコンクリート成型品からなる各分割躯体２，２・・を１組とし、その１組の分割躯体２，２・・を図１１及び図１２に示すように上下に積み重ねるとともに、左右に必要長さだけ並設して擁壁１を構築する例が多くなってきている。即ち、図１１及び図１２の擁壁構築例では、図１０に示すように、最終構築される擁壁１を上下に複数個（図示例では４つ）に分割した各形状の分割躯体２，２・・を予め工場でコンクリート成型しておく。
【０００４】
この各分割躯体２，２・・は、前後各壁２１，２２を２つの連結壁２３，２４で一体に連結した中空のものを使用している。即ち、この分割躯体２には、前後各壁２１，２２と２つの連結壁２３，２４で囲まれた中間部空所２５と、各連結壁２３，２４のそれぞれ外側にある各端部空所２６，２６が形成されている。
【０００５】
又、図１１及び図１２の擁壁構築例では、擁壁１として、前面（露出側）１ｃが鉛直面で後面（山肌側）１ｄが傾斜面となる逆台形状に形成されている関係で、各分割躯体２，２・・は、前壁２１が鉛直壁で後壁２２が傾斜壁となる逆台形状のものが使用されている。尚、上下の各分割躯体２，２・・は、上側のものほど奥行き厚さが厚くなっている。
【０００６】
そして、図１０に示す各分割躯体２，２・・は、図１１に示すように上下・左右に組付けて擁壁１を構成している。尚、図１１の擁壁構築例では、各分割躯体２，２・・を千鳥状に組付けているが、各分割躯体２，２・・を上下に整列させた状態（いわゆる布積み）で積み上げる場合もある。この擁壁１の内部には、上下に貫通する空所Ｓ，Ｓ・・が形成されており、該各空所Ｓ，Ｓ・・内にそれぞれ土砂等の粉粒体を含む充填物１１（図１２）を充填して重力式擁壁としている。尚、この充填物１１は、以下の説明では、単に土砂ということがある。
【０００７】
又、図１２に示すように、構築された擁壁１の後面１ｄと山肌Ｙとの間に空所Ｓ1ができる場合には、その空所Ｓ1にも土砂１２が充填される。
【０００８】
そして、この擁壁１の上面を例えば道路として利用する場合には、擁壁上面１ａと空所Ｓ1に充填した土砂１２の上面とに跨がってアスファルト舗装４を施して、山肌Ｙに適宜幅（例えば５〜６ｍ幅）の道路１０を形成する。尚、このように擁壁１を逆台形状に構築すると、擁壁上面１ａの奥行き厚さＷ1を大きくでき、その奥行き厚さＷ1を道路幅Ｗ0の一部として利用できるので、山肌Ｙを掘削する必要がなくなるか、あるいはその掘削幅を少なくできる。
【０００９】
又、図１０〜図１２の擁壁構築例では、道路形成用として逆台形状の分割躯体２を使用しているが、単なる土留め用の擁壁の場合は、分割躯体として前後各壁が平行なコンクリート成型品を使用することもある。その場合でも、構築された擁壁の内部空所に土砂等の充填物を充填することにより、重力式擁壁として機能させることができる。
【００１０】
ところで、図１１及び図１２に示すように、多数の分割躯体２，２・・を組付けて構築した重力式擁壁１では、上下・左右に隣接する各分割躯体２，２はその端面同士が単に接合されているだけなので、その各接合部Ｔ，Ｔ・・には微小隙間が形成されている。又、例えば擁壁設置部分の地盤が沈下したり、あるいは地震等によって地盤が歪んだりすると、一部の分割躯体２の姿勢が変わって、接合部Ｔ，Ｔ・・の隙間が部分的に大きくなることがある。尚、各分割躯体２，２間の接合部Ｔ，Ｔ・・の隙間は比較的微小間隔であるので、擁壁内部の土砂１１が比較的乾燥状態にあるときには、該擁壁内部の土砂１１が接合部Ｔの隙間から擁壁前面１ｃ側に零れ出すことがないが、雨水は接合部Ｔが微小隙間であっても該隙間を通過する性質がある。
【００１１】
【発明が解決しようとする課題】
ところが、この種の擁壁構造（例えば図１１及び図１２の道路用擁壁）では、次のような問題があった。即ち、各分割躯体２，２間の接合部Ｔ，Ｔ・・に微小隙間が形成されているので、図１２において山側の土中に雨水がたっぷりと滲み込むと、その土中の雨水が、山肌Ｙと擁壁後面１ｄ間の充填土砂１２中を通って、擁壁後面１ｄの上記接合部Ｔ（微小隙間）から擁壁内部の空所Ｓ内（土砂等の充填物１１中）に浸入し、さらに擁壁内部の空所Ｓに浸入した雨水が飽和状態になるとその空所内の雨水が擁壁前面１ｃの上記接合部Ｔ（微小隙間）から該擁壁前面１ｃ側に流れ出すようになる。このとき、擁壁内部の充填物（土砂）１１の一部（微細粒子）が泥水となって該接合部Ｔから擁壁前面１ｃに流れ出すようになり、長期に亘ると擁壁内部の充填物量が減少して、擁壁強度が低下したりあるいは擁壁上部のアスファルト４部分が陥没するおそれがある。又、擁壁前面１ｃに泥水が流れ出すと、その泥水で擁壁前面１ｃが汚れてしまい、美観を損ねるという問題があった。
【００１２】
又、擁壁内部の空所Ｓに充填する充填物として、土砂のほかに（あるいは土砂に混入して）、産業廃材の粉砕物（例えば、コンクリート片、ガラス片、プラスチック片、金属片等の混入物）、乾燥汚泥、都市ゴミの焼却スラグ等の、粉粒体を含む廃棄物を使用することがあるが、それらの廃棄物の中には有害物質（例えば砒素や水銀）を含むものもあり、そのような有害物質を含む充填物を使用する場合には、上記のように擁壁前面１ｃの接合部Ｔ（隙間）から流出する泥水中に有害物質も混入し、環境汚染の原因になるという問題もある。
【００１３】
本願発明は、このような従来の擁壁構造の問題点に鑑み、内部を中空にした複数個の分割躯体を上下・左右に組付け、且つ擁壁の内部空所に粉粒体（例えば土砂）を含む充填物を充填してなる重力式の擁壁構造において、擁壁内部に充填した充填物が泥水となって擁壁前面側に流出しないようにすることを目的とするものである。
【００１４】
【課題を解決するための手段】
本願発明は、上記課題を解決するための手段として次の構成を有している。尚、本願発明は、コンクリート成型品からなる複数個の分割躯体を上下・左右に組付けて構築した擁壁構造を対象にしている。
【００１５】
本願請求項１の発明
本願請求項１の擁壁構造に使用される分割躯体としては、前後に間隔をもって対面させた前後各縦壁を連結壁で連結して、該前後各縦壁間に空所を設けたコンクリート成型品が使用される。
【００１６】
擁壁として、擁壁底面の奥行き厚さを擁壁上面の奥行き厚さより小さくした形状（例えば逆台形の形状）や、逆に擁壁底面の奥行き厚さを擁壁上面の奥行き厚さより大きくした形状（例えば台形の形状）に構築する場合は、上下に積み重ねられる１組の分割躯体として、奥行き厚さを順次変化させた複数種類のものを使用する。尚、その場合は、各分割躯体の一方の縦壁を傾斜させるとよい。又、擁壁として、擁壁底面から擁壁上面までの奥行き厚さを同じにした形状に構築する場合は、各分割躯体の前後各縦壁を相互に平行にした同形のものを使用する。
【００１７】
この各分割躯体を上下・左右に組付けて構築した擁壁では、擁壁内部に上下に連続する大きな空所が形成されている。そして、この擁壁を重力式擁壁にする場合には、擁壁内部の空所に粉粒体を含む充填物が充填される。
【００１８】
擁壁内部に充填される充填物としては、土砂、産業廃材の粉砕物、乾燥汚泥、都市ゴミの焼却スラグ等の、粉粒体を含むものであれば適宜のものが使用できる。尚、充填物中の粉粒体は、水に浸かると一部（微細粒子）が泥水になって流動化する性質がある。
【００１９】
そして、本願請求項１の擁壁構造では、擁壁内部の空所に充填物を充填する際に、該充填物を不透水性の袋に収容した状態で、該袋入充填物を擁壁の内部空所に充填している。この不透水性の袋は、容易に穴があいたり破れない材質（又は構造）のものが好ましい。又、この袋は、擁壁内部に形成される縦長（例えば全高さが３〜４ｍ）の空所と同形状の容積を有する一体袋でもよく、あるいは各分割躯体ごとの個別空所（例えば１個の分割躯体当たり１ｍの高さ）と同形状の分割袋でもよい。尚、この不透水性の袋は、可撓性があるものであれば、上記空所の容積よりやや大きいものでもよく、且つ大きければ空所の容積形状と一致しない形状であってもよい。例えば空所の形状がクサビ形のものに対して、袋を単純な長方形にしたものを使用できる（その場合は、袋の下部側に余剰折り皺ができる）。
【００２０】
又、本願請求項１の擁壁構造では、擁壁の内部空所に袋入充填物を充填した状態で、擁壁の上面を不透水構造物で被覆している。この不透水構造物は、擁壁上面から擁壁内部に雨水が浸入するのを防止するためのもので、擁壁の上面をコンクリート製の蓋版で被覆（密閉）してもよいし、あるいはこの擁壁上面を道路用として利用する場合には、該不透水構造物をアスファルト路面とすることもできる。
【００２１】
本願請求項１の擁壁構造では、上記のように、コンクリート成型品からなる複数個の分割躯体を上下・左右に組付け、さらに内部空所に粉粒体を含む充填物を充填して重力式擁壁として構築されている。ところが、このように複数個の分割躯体を組付けた擁壁では、各分割躯体の上下及び左右の各接合部（横向き接合部と縦向き接合部の２種類ある）を完全に密閉することができず、該各接合部には微小隙間が形成されているのが実情である。尚、この各接合部の微小隙間からは、乾燥状態の充填物（粉粒体）は零れ出すことはないが、雨水（泥水）は自由に通過する。
【００２２】
ところで、本願請求項１の擁壁構造においても、山側（又は造成地側）の土中に雨水が飽和状態になると、その飽和した雨水が擁壁後面側（山側面側）の分割躯体接合部から擁壁内部に向けて浸入することが考えられるが、擁壁内部の充填物は不透水性の袋に収容した袋入充填物の状態で充填されているので、該袋が該接合部を擁壁内面側から目張りする機能を有し、該飽和雨水が該接合部から擁壁内部に浸入しにくくなる。従って、擁壁内部の充填物が雨水で濡れなくなり（擁壁内部の充填物が泥水化することがない）、擁壁前面側の接合部（微小隙間）から泥水となって流出するという問題を未然に防止できる。特に、該充填物を収容している不透水性袋が上下に連続する一体袋であると、該一体袋内の充填物中に雨水が浸入するのを完全に阻止できる。又、該不透水性袋が上下に分割された袋である場合は、擁壁内に浸入した雨水の一部が各分割袋の上部開口から分割袋内に入り込むことが考えられるが、その分割袋内に入る雨水は微量であり、分割袋内の充填物を泥水化させる程の量ではない。従って、擁壁内に雨水が浸入しても、擁壁内の充填物が泥水となって擁壁前面側の接合部（微小隙間）から流出することはない。
【００２３】
又、この請求項１の擁壁構造では、擁壁の上面（内部空所の上面）が不透水構造物で被覆されているので、該擁壁の上面側から擁壁内に雨水が浸入することがなく、従って擁壁内部の充填物が雨水で濡れることがない。
【００２４】
本願請求項２の発明
本願請求項２の擁壁構造において、コンクリート成型品からなる複数個の分割躯体を上下・左右に組付けて構築したこと、及び擁壁の内部空所に袋入充填物を充填したことは、上記請求項１と同様であるが、この請求項２では、袋入充填物の袋の上部開口を該袋内に水が浸入しないように閉塞していることを特徴としている。
【００２５】
この請求項２において、袋の上部開口の閉塞構造としては、例えば、袋の上部に、該袋内に収容される所定量の充填物の上面高さより上方に延出する余剰部分を一体成形して、該余剰部分を折畳んだり紐で縛ったり接着（シール）する等の構造を採用できる。又、別の袋上部開口の閉塞構造として、袋内に充填物を充填した状態で袋開口縁部に別の不透水性のシート蓋を全周に亘って水密的に取付ける構造を採用してもよい。
【００２６】
尚、袋入充填物の袋として、擁壁内空所の全高に亘る高さを有する一体袋を使用したものでは、１つの袋開口だけ閉塞すればよいが、擁壁内空所を上下に分割した複数の分割袋を使用する場合には、各分割袋の開口をそれぞれ閉塞することが好ましい。
【００２７】
この請求項２の擁壁構造では、擁壁内部に充填されている袋入充填物の袋開口部分が閉塞されているので、請求項１のように擁壁の上部に不透水構造物（例えばアスファルト舗装）がない場合（例えば擁壁上部に土砂を敷き詰めただけの構造）でも、雨水が袋入充填物の袋内に浸入することがなく、従って袋内の充填物が雨水で濡れることがない。
【００２８】
【発明の実施の形態】
以下、図１〜図９を参照して本願実施形態を説明すると、図１〜図３には本願第１実施形態の擁壁構造が示され、図４及び図５には第２実施形態の擁壁構造が示され、図６及び図７には第３実施形態の擁壁構造が示され、図８及び図９には第４実施形態の擁壁構造が示されている。
【００２９】
第１実施形態〜第４実施形態の各擁壁構造では、図１（第１実施形態）、図４（第２実施形態）、図６（第３実施形態）、図８（第４実施形態）に示すように、それぞれ奥行き厚さの異なる４種類の分割躯体２，２・・を１組として使用している。各分割躯体２，２・・は、下段側から上段側になるほど順次奥行き厚さが大きくなるような逆台形状のものが採用されている。尚、第１〜第４の各実施形態で使用されている各分割躯体２，２・・（図１、図４、図６、図８）は、それぞれ相互に同じもので、且つ図１０の従来例で示した各分割躯体２，２・・とも同じものを採用している。従って、本願各実施形態の分割躯体の説明が図１０の従来例のものと重複する部分があるが、本願各実施形態の分割躯体２，２・・の構成を再度説明する。尚、各分割躯体２，２・・の構成は、図１を例にして説明する。
【００３０】
図１に示す各分割躯体２，２・・は、前後各縦壁２１，２２間に２つの連結壁２３，２４を介在させた状態でコンクリートによりそれぞれ一体成形されている。前側の縦壁２１（擁壁１の露出側となる）は鉛直壁であり、後側の縦壁２２（擁壁１の埋設側となる）は上り傾斜壁となっている。尚、以下の説明では前側縦壁２１を鉛直壁といい、後側縦壁２２を傾斜壁ということがある。
【００３１】
図１の各分割躯体２，２・・は、上下に積み重ねたときに、各鉛直壁（前側縦壁）２１同士及び各傾斜壁（後側縦壁）２２同士がそれぞれ同一平面となるように、その奥行き厚さを順次変化させたものを使用している。又、上下に接合される２つの分割躯体２，２において、下段側分割躯体２の上面形状と上段側分割躯体２の下面形状とが同形同大きさとなるように製作されている。尚、図示例の各分割躯体２では、それぞれ高さが１ｍで左右長さＬが２ｍのものが使用されており、又、各分割躯体２の傾斜壁２２は４分勾配の傾斜面となっている。そして、本願各実施形態では、最上段に位置する分割躯体２は、その上面の奥行き厚さが２ｍのものを使用している。
【００３２】
図１に示す各分割躯体２，２・・の左右各連結壁２３，２４は、分割躯体２の左右各側縁からそれぞれ分割躯体２の左右長さＬの１／４の位置、即ち左右各側縁からそれぞれ寸法Ｎ（Ｎ＝５０cm）の位置に形成されている。従って、両連結壁２３，２４間の間隔Ｍは１ｍとなる。鉛直壁２１、傾斜壁２２、各連結壁２３，２４の厚さは、８〜１５cm程度が適当である。尚、分割躯体２における上記各寸法は、特に限定するものでなく、適宜に設計変更できることは勿論である。又、この実施形態では、分割躯体として逆台形のものを使用しているが、特に逆台形のものに限定するものではなく、例えば前後各縦壁２１，２２が相互に平行（従って上下の各奥行き厚さが同じになる）な中空コンクリート成型品も採用できる。
【００３３】
各分割躯体２，２・・には、両連結壁２３，２４間に中間部空所２５が形成されている一方、各連結壁２３，２４の各外側にそれぞれ端部空所２６，２６が形成されている。そして、２つの分割躯体２，２を左右に接合させたときに、その接合部に形成される各端部空所２６，２６の合成空所と、両連結壁２３，２４間に形成されている中間部空所２５とが同形同大きさになるようにしている。
【００３４】
尚、他の実施形態では、各分割躯体２，２・・に上下に貫通する鉄筋挿通穴を形成して、上下の各分割躯体２，２・・の鉄筋挿通穴に跨がって鉄筋を挿通させることにより、各分割躯体２，２・・を上下に連結させるようにしてもよい。
【００３５】
第１〜第４の各実施形態の擁壁構造では、各分割躯体２，２・・を多数組使用して、図２に示すような逆台形状の擁壁１を構築する。即ち、この各実施形態の擁壁構築例では、図３（及び図５、図７、図９）に示すように道路を形成すべき山肌Ｙに次のようにして構築される。まず、山肌Ｙに最下段の分割躯体２を設置するためのコンクリート底版９を打設する。次に、図２に示すように奥行き幅の最も小さい各分割躯体２，２・・を順次左右方向に並べて据付け、その上に２番目に大きい分割躯体２，２・・を載せるが、そのとき上側分割躯体２が下側分割躯体２上に左右方向の１／２幅づつ重合するように千鳥積みする。そして、３段目及び４段目の各分割躯体２，２・・も同様に千鳥状に積み重ねて、図２に示すような擁壁１を構築する。尚、下から偶数段目の各分割躯体２の左右端部に位置する分割躯体は、左右幅が１／２のものを使用する。
【００３６】
このように各分割躯体２，２・・を千鳥積みすると、図２に示すように、上下に隣接する２つの分割躯体２，２において、上側分割躯体２の左側連結壁２３と下側分割躯体２の右側連結壁２４、及び上側分割躯体２の右側連結壁２４と下側分割躯体２の左側連結壁２３とがそれぞれ上下同位置に連続するようになる。従って、１つの分割躯体２の両連結壁２３，２４間に形成された中間部空所２５の直上又は直下に、２つの分割躯体２，２の接合部に形成された合成空所２６，２６が完全重合するようになる。又、このように、各分割躯体２，２・・を千鳥積みしてなる擁壁１では、その擁壁１内に各連結壁２３，２４で区画された縦長空所Ｓ，Ｓ・・が擁壁長さ方向に複数個形成される。
【００３７】
本願の各実施形態の擁壁構造では、擁壁１の各内部空所Ｓ，Ｓ・・に、図３（第１実施形態）、図５（第２実施形態）、図７（第３実施形態）、図９（第４実施形態）にそれぞれ示すように不透水性の袋（３１，３２）内に粉粒体を含む充填物３３を収容してなる袋入充填物３（又は３Ａ）を充填している。尚、本願の各実施形態では、袋（３１，３２）内に収容した充填物３３として土砂を採用しており、以下の説明では該充填物を土砂ということがある。
【００３８】
又、第１実施形態（図１〜図３）及び第２実施形態（図４〜図５）では、擁壁１の上面を不透水構造物４で被覆しており、第３実施形態（図６〜図７）及び第４実施形態（図８〜図９）では、各袋（３１，３２）内に充填物（土砂）３３を収容した状態で袋の上部開口を閉塞している。
【００３９】
以下、第１〜第４の各実施形態について個別に説明する。
【００４０】
第１実施形態
図１〜図３に示す第１実施形態では、不透水性の袋として、擁壁１の各内部空所Ｓ，Ｓ・・と同形状でほぼ同大きさの一体袋３１を使用している。即ち、この第１実施形態で使用される一体袋３１は、擁壁１の高さ（４ｍ）と同高さで擁壁１の内部空所Ｓにすっぽり入る形状のものが採用されている。この一体袋３１は、例えばプラスチックシートのような可撓性を有し、且つ比較的強靭な材質のものが使用される。この一体袋３１は、可撓性を有しているので、擁壁１の内部空所Ｓの形状よりやや大きいものでもよく、後述するように袋３１内に土砂３３を収容させると、袋３１の各側面が土圧によって膨れて擁壁１の内部空所Ｓの各内面に密接するようになる。尚、この一体袋３１は、小さく折畳んだ状態で運搬され、使用状態に展張させて空所Ｓ内に挿入される。
【００４１】
そして、この第１実施形態の擁壁構造では、図２に示すように多数の分割躯体２，２・・を上下・左右に組付けて逆台形状の擁壁１を組立てた後、該擁壁１の内部空所Ｓ内に一体袋３１を底部側から挿入し、図３に示すように一体袋３１内にその上部開口高さ（擁壁１の上面高さ）まで充填物（土砂）３３を充填する。尚、一体袋３１内に充填した土砂３３は、適度に締め固める。そして、擁壁１の各内部空所Ｓ，Ｓ・・について、順次同様に一体袋３１の挿入と土砂３３の充填とを行う。その後、擁壁１の後壁（傾斜壁）１ｄと山肌Ｙとの間の空所Ｓ1に、擁壁上面１ａの高さまで土砂１２を埋め戻す。
【００４２】
次に、この第１実施形態の擁壁構造のように、擁壁１を道路用として利用する場合には、その擁壁上面１ａと埋め戻し土砂１２の上面とに跨がって（山肌Ｙに達するまで）アスファルト舗装４を行って所定幅の道路１０を形成する。尚、このアスファルト舗装４は、特許請求の範囲中の不透水構造物となるもので、該アスファルト舗装４によって、擁壁１の上面全面を不透水状態で被覆している。従って、擁壁１の上面側からは、雨水が擁壁内に浸入することがない。
【００４３】
このように、第１実施形態の擁壁構造では、擁壁１の各内部空所Ｓ，Ｓ・・にそれぞれ袋入充填物３を充填しているので、重力式擁壁として機能させることができる。又、この第１実施形態では、擁壁１を逆台形にしているので、擁壁上面１ａの奥行き幅が大きくなり、該擁壁上面１ａを道路１０として利用する場合には、擁壁上面１ａを道路幅の一部に利用できるので、山肌Ｙを掘削する必要がなくなるか、あるいはその掘削幅を少なくできる。
【００４４】
ところで、多数の分割躯体２，２・・を上下・左右に組付けて構築した擁壁１では、各分割躯体２，２・・の上下及び左右の各接合部Ｔ，Ｔ・・（横向き接合部と縦向き接合部の２種類ある）を完全に密閉することができず、該各接合部Ｔ，Ｔ・・に微小隙間が形成されている。そして、本願の各実施形態の擁壁構造においても、山側の土中に多量の雨水を含む（飽和状態になる）と、擁壁後面１ｄ側の分割躯体接合部Ｔ，Ｔ・・から擁壁内部に向けて雨水が浸入することが考えられる。
【００４５】
ところが、この第１実施形態の擁壁構造では、図３に示すように擁壁内部の土砂３３は不透水性の一体袋３１に収容した状態で充填されているので、該一体袋３１が該接合部Ｔ，Ｔ・・を擁壁内面側から目張りする機能を有し、該一体袋３１で擁壁内部への雨水の浸入を阻止するようになる。尚、一体袋３１は、擁壁内面にほぼ密着状態で接合しているが、分割躯体間の接合部Ｔ，Ｔ・・を水密的に閉塞するものではなく、擁壁後面１ｄ側の接合部Ｔからごく僅かではあるが山側の土中（充填土砂１２）からの雨水が浸入することが考えられる。しかし、該雨水（微量）が擁壁内部に浸入しても、擁壁内部の土砂３３は一体袋３１内に完全に収容されているので、該土砂３３が浸入雨水で濡れることがない。従って、擁壁内部の土砂３３が泥水化して、擁壁前面１ｃ側の接合部Ｔ，Ｔ・・から流出するという問題を確実に防止できる。
【００４６】
第２実施形態
図４及び図５に示す第２実施形態の擁壁構造では、各分割躯体２，２・・を上下・左右に組付けて構成した擁壁１（例えば図２の擁壁）の各内部空所Ｓ，Ｓ・・に、それぞれ各段の分割躯体２，２・・部分に形成される個別空所と同じ大きさの分割袋３２，３２・・を使用している。即ち、この第２実施形態では、上下に積層される各分割躯体２，２・・の奥行き厚さが異なり、従って各段の分割躯体内の個別空所の大きさ（奥行き幅）が異なる関係で、各分割袋３２，３２・・は、それぞれの分割躯体２，２・・内の個別空所と同形同大きさのものを使用している。
【００４７】
そして、この第２実施形態の擁壁構造を構築するには、下段側から同形の各分割躯体２，２・・を組付ける度に、該各分割躯体の各個別空所（中間部空所２５及び左右の端部空所２６，２６で合成される各合成空所）内に、該空所容積に見合う大きさの分割袋３２を挿入し、該分割袋３２内にそれぞれ土砂３３を収容して、個別空所ごとに袋入充填物３Ａ，３Ａ・・を充填していく。順次同様に各段の分割躯体を積み上げるとともに、それぞれ各段の個別空所に袋入充填物３Ａ，３Ａ・・を充填して、内部に土砂３３を充填した重力式擁壁１を構築する。尚、擁壁１の上面１ａには、第１実施形態と同様にアスファルト舗装（不透水構造物）４を施して、該擁壁上面１ａを道路１０として利用している。
【００４８】
この第２実施形態の擁壁構造では、構築すべき擁壁１の高さが高くなる場合に適しており、擁壁１の内部空所Ｓに充填する袋入充填物３Ａ，３Ａ・・を上下に分割することで、各段の分割躯体２，２・・ごとに確実に土砂３３を充填することができる。
【００４９】
この第２実施形態では、各分割袋３２，３２・・内にそれぞれ土砂３３，３３・・を収容してなる袋入充填物３Ａ，３Ａ・・を、擁壁内部の各縦長空所Ｓ内に積み重ねた状態で充填しているが、この場合、上下の分割袋３２，３２・・は、上下各分割躯体２，２・・の接合部Ｔ付近で分離されている。ところで、このように上下に分割した袋入充填物３Ａ，３Ａ・・を使用したものでは、擁壁後面１ｄ側の接合部Ｔ（横向き接合部）から浸入する雨水の一部が各分割袋３２，３２・・の上部開口から分割袋３２内に入り込むことが考えられるが、その分割袋３２内に入る雨水は微量であり、分割袋３２内の土砂３３を泥水化させる程の量ではない。従って、擁壁内部の空所Ｓに雨水が浸入しても、擁壁内の土砂３３が泥水となって擁壁前面１ｃ側の接合部Ｔ，Ｔ・・から流出することはない。尚、この第２実施形態の場合も、擁壁１の上面は、不透水構造物（アスファルト舗装）４で被覆されているので、該擁壁上面１ａ側から擁壁１内に雨水が浸入することはない。
【００５０】
第３実施形態
図６及び図７に示す第３実施形態の擁壁構造は、第１実施形態（図１〜図３）と同様に一体袋３１を使用した場合の変形例を示している。この第３実施形態では、一体袋３１として擁壁１の全高よりやや深い容積のものを使用している。即ち、該一体袋３１は、図７に示すように、袋内に収容される所定量の充填物（土砂）３３の上面高さ（擁壁上面１ａと同高さ）より所定高さだけ上方に延出する余剰部分３１ａを一体成形している。尚、この余剰部分３１ａの上方延出高さは、例えば５０〜１００cm程度でよい。
【００５１】
そして、この第３実施形態では、一体袋３１を擁壁内部の空所Ｓ内に挿入し、該一体袋３１内に充填物（土砂）３３を擁壁上面高さまで充填した後、袋の上部にある余剰部分３１ａを閉塞して、袋開口部から袋内に水が浸入しないようにしている。
【００５２】
一体袋３１の開口部の閉塞方法としては、上部の余剰部分３１ａを例えば図６に鎖線図示（符号３１ａ′）するようにガセット折りした状態から開口部分を数回巻き込んだだけでもよいし（この場合、開口部分を巻き込んだ状態で適宜の仮止めをするとよい）、又は余剰部分３１ａを上記のようにガセット折りした状態で開口部内面を接着させてもよいし（接着剤を使用したりヒートシールしてもよい）、あるいは該余剰部分３１ａの上端側を束ねて紐で縛ってもよい。尚、他の実施形態では、一体袋３１の開口部の閉塞方法として、該一体袋３１内に充填物（土砂）３３を充填した状態で袋開口縁部に別の不透水性のシート蓋を水密的に取付ける（外周をシールする）こともできる。
【００５３】
この第３実施形態の擁壁構造では、袋入充填物３の一体袋３１の開口が図７の符号３１ａで示すように閉塞されているので、擁壁１の上部を不透水構造（第１及び第２の各実施形態ではアスファルト舗装４）にしないで単に土砂５を被覆させる（通水性がある）だけでも、一体袋３１内に雨水が浸入することがない。尚、この第３実施形態の場合も、擁壁上部にアスファルト舗装（不透水構造物）を施してもよいことは勿論である。
【００５４】
第４実施形態
図８及び図９に示す第４実施形態の擁壁構造では、第２実施形態（図４〜図５）と同様に袋として分割袋３２，３２・・を使用している。この第４実施形態では、各分割袋３２，３２・・として各分割躯体２，２・・の各高さよりやや深い容積のものを使用している。即ち、該各分割袋３２，３２・・は、図８に示すように、各段の分割躯体２，２・・ごとの各内部空所高さより所定高さだけ上方に延出する余剰部分３２ａをそれぞれ一体成形している。尚、この各分割袋３２の余剰部分３２ａの上方延出高さは、例えば５０〜１００cm程度でよい。
【００５５】
そして、この第４実施形態の擁壁構造では、第２実施形態と同様に、下段側の各分割躯体２から順次組付けていく際に、該分割躯体２の空所（奥行き長さ）に見合う分割袋３２を１段目の各空所に挿入し、該各分割袋３２内に当該分割躯体２の上面高さまで充填物（土砂）３３を充填し、該分割袋３２の上部余剰部分３２ａを第３実施形態の場合と同様に閉塞する（１段目の分割躯体２の空所に分割袋入充填物３Ａが充填される）。そして、次の段（下から２段目）の各分割躯体２を１段目の分割躯体２の上に組付け、同様に該各分割躯体２の空所内に分割袋入充填物３Ａを充填し、順次最上段まで各分割躯体２を組付けるとともに分割袋入充填物３Ａを充填する。
【００５６】
この第４実施形態の擁壁構造では、各段の袋入充填物３Ａ，３Ａ・・において各分割袋３２，３２・・の上部開口が、それぞれ水の浸入を阻止し得る状態で閉塞（図９の符号３２ａ）されているので、もし山側で飽和した雨水が擁壁後面１ｄ側の各接合部Ｔから擁壁内部に浸入しても、各分割袋３２の上部開口が閉塞されているので、該浸入雨水が分割袋３２内に入ることはない。従って、上下に分割した袋入充填物３Ａ，３Ａ・・を使用したものであっても、擁壁内に充填されている充填物（土砂）３３が雨水で濡れることがない。
【００５７】
尚、この第４実施形態の擁壁構造では、擁壁最上段の分割袋入充填物３Ａも上部開口が閉塞されているので、擁壁１の上部に単に土砂５を被覆させたものでも、袋入充填物３Ａ内の充填物（土砂）３３が雨水で濡れることがない。尚、この第４実施形態の場合も、擁壁上部にアスファルト舗装（不透水構造物）を施してもよいことは勿論である。
【００５８】
【発明の効果】
本願請求項１の発明の擁壁構造は、前後各縦壁２１，２２間に空所２５，２６を設けたコンクリート成型品からなる複数個の分割躯体２，２・・を上下・左右に組付けて構築した擁壁１において、該擁壁１の内部空所Ｓに不透水性の袋（３１，３２）内に粉粒体を含む充填物（例えば土砂）３３を収容してなる袋入充填物（３，３Ａ）を充填するとともに、該擁壁１の上面を不透水構造物４で被覆している。
【００５９】
又、本願請求項２の発明の擁壁構造は、前後各縦壁２１，２２間に空所２５，２６を設けたコンクリート成型品からなる複数個の分割躯体２，２・・を上下・左右に組付けて構築した擁壁１において、該擁壁１の内部空所Ｓに不透水性の袋（３１，３２）内に粉粒体を含む充填物（例えば土砂）３３を収容してなる袋入充填物（３，３Ａ）を充填するとともに、上記袋（３１，３２）の上部開口を該袋内に水が侵入しないように閉塞している。
【００６０】
本願請求項１及び２の各発明の擁壁構造では、不透水性の袋（３１，３２）が各分割躯体２，２の接合部Ｔ（微小隙間がある）を擁壁内面側から目張りする機能を有し、該袋で分割躯体の接合部Ｔから擁壁内部に雨水が浸入するのを阻止できる。従って、擁壁内に充填されている充填物（土砂）３３が浸入雨水で泥水化されるのを防止でき、該擁壁１内の土砂３３が泥水となって擁壁の前面（露出面）１ｃ側の接合部Ｔから流出するのを未然に防止できるという効果がある。
【００６１】
尚、擁壁１内の土砂３３が泥水となって擁壁前面１ｃ側の分割躯体接合部Ｔから流出すると、擁壁内部の土砂量が減少して、擁壁強度が低下したりあるいは擁壁上部のアスファルト舗装部分が陥没するおそれがあり、又その泥水で擁壁前面１ｃが汚れ（美観を損ねる）、さらに擁壁内に充填される充填物として産業廃材等の有害物質（例えば砒素や水銀）を含む充填物を使用する場合には擁壁前面１ｃの接合部Ｔから流出する泥水中に有害物質も混入する（環境汚染の原因になる）という問題があるが、本願各発明の擁壁構造では、これらの問題を未然に防止し得る。
【図面の簡単な説明】
【図１】本願第１実施形態の擁壁構造に使用する各分割躯体と不透水性袋（一体袋）の斜視図である。
【図２】図１の分割躯体を使用して組立てた擁壁の斜視図である。
【図３】図２の擁壁構造を山肌に施工した状態の断面図である。
【図４】本願第２実施形態の擁壁構造に使用する各分割躯体と不透水性袋（分割袋）の斜視図である。
【図５】図４の各分割躯体と不透水性袋（分割袋）を使用して山肌に施工した擁壁構造の断面図である。
【図６】本願第３実施形態の擁壁構造に使用する各分割躯体と不透水性袋（一体袋）の斜視図である。
【図７】図６の各分割躯体と不透水性袋（一体袋）を使用して山肌に施工した擁壁構造の断面図である。
【図８】本願第４実施形態の擁壁構造に使用する各分割躯体と不透水性袋（分割袋）の斜視図である。
【図９】図８の各分割躯体と不透水性袋（分割袋）を使用して山肌に施工した擁壁構造の断面図である。
【図１０】従来の擁壁構造に使用される各分割躯体の斜視図である。
【図１１】図１０の分割躯体を使用して組立てた擁壁の斜視図である。
【図１２】図１１の擁壁構造を山肌に施工した状態の断面図である。
【符号の説明】
１は擁壁、１ａは擁壁上面、１ｃは擁壁前面、１ｄは擁壁後面、２は分割躯体、３，３Ａは袋入充填物、４は不透水構造物（アスファルト舗装）、２１，２２は縦壁、２３，２４は連結壁、２５，２６は空所、Ｓは擁壁内空所、３１は不透水性袋（一体袋）、３１ａは余剰部分、３２は不透水性袋（分割袋）、３２ａは余剰部分、３３は充填物（土砂）、Ｔは接合部である。
【図１】
0003883893.tif 000002
【図２】
0003883893.tif 000003
【図３】
0003883893.tif 000004
【図４】
0003883893.tif 000005
【図５】
0003883893.tif 000006
【図６】
0003883893.tif 000007
【図７】
0003883893.tif 000008
【図８】
0003883893.tif 000009
【図９】
0003883893.tif 000010
【図１０】
0003883893.tif 000011
【図１１】
0003883893.tif 000012
【図１２】
0003883893.tif 000013